(57)【特許請求の範囲】
【請求項１】
吸込グリルから吸い込まれた室内空気が熱交換器を流過して冷却又は加熱された後、貫流フアンにより付勢されて吹出口から吹き出される空気調和機の室内ユニットにおいて、上記貫流フアンのロータの外周に近接し、スタビライザと協働して吸込口を限界するベースパネルと一体形成されたドレンパンの前壁を兼ねる狭少部の内面であるロータの外周に近接してこれに対向する面に上下に間隔を隔てて水平に伸びる複数の凹溝を刻設したことを特徴とする空気調和機の室内ユニット。
【請求項２】
吸込グリルから吸い込まれた室内空気が熱交換器を流過して冷却又は加熱された後、貫流フアンにより吹出口から吹き出される空気調和機の室内ユニットにおいて、上記熱交換器は上記貫流ファンの吸い込み領域を覆うように内蔵され、上記貫流フアンのロータの外周に近接し、ベースパネルと一体形成されたドレンパンの前壁を兼ねる狭少部の内面にロータの外周に近接してこれに対向する面に上下に間隔を隔てて水平に伸びる複数の凹溝を刻設したことを特徴とする空気調和機の室内ユニット。
【請求項３】
吸込グリルから吸い込まれた室内空気が熱交換器を流過して冷却又は加熱された後、貫流フアンにより吹出口から吹き出される空気調和機の室内ユニットにおいて、上記熱交換器は上記室内ユニットに複数内蔵され、上記貫流フアンのロータの外周に近接し、ベースパネルと一体形成されたドレンパンの前壁を兼ねる狭少部の内面にロータの外周に近接してこれに対向する面に上下に間隔を隔てて水平に伸びる複数の凹溝を刻設したことを特徴とする空気調和機の室内ユニット。
【請求項４】
前記吸込グリルの背後にフィルタが配設されていることを特徴とする請求項３に記載の空気調和機の室内ユニット。
【請求項５】
前記熱交換器は上記室内ユニットに３個内蔵されていることを特徴とする請求項４に記載の空気調和機の室内ユニット。
【発明の詳細な説明】
【０００１】
【発明の属する技術分野】
本発明は空気調和機の室内ユニットに関する。
【０００２】
【従来の技術】
従来の壁掛型室内ユニットの１例が図３に示されている。
室内ユニット１の内部には貫流フアン70、３個のフィンアンドチューブ型熱交換器5a、5b、5c、ドレンパン6a、6c等が内蔵されている。
【０００３】
室内ユニット１の前面及び上面には吸込グリル２が設けられ、前面下部には吹出口４が設けられている。
吸込グリル２の背後にはフィルタ３が配設され、吹出口４にはルーバ８及びフラップ9a、9bが配設されている。
【０００４】
ドレンパン6aの後端にこれと一体に形成されたスタビライザ11の上端及びドレンパン6cの前壁を兼ねる狭少部12の上端はそれぞれロータ７の外周に近傍せしめられ、これらは協働して貫流フアン70の吸込口を限界している。
【０００５】
ドレンパン6a及びスタビライザ11によって貫流フアン70の前部ケースが形成され、狭少部12及びこの下端からロータ７の背後を通って下方に伸びるベースパネル13によって貫流フアン70の後部ケースが構成されている。
ドレンパン6cはベースパネル13と一体に形成される。
【０００６】
貫流フアン70のロータ７が矢印方向に回転駆動されると、そのブレード7aにより付勢された空気は吸込口から前部ケース及び後部ケースによって限界された流路に入りこの流路を通って吹き出される。
【０００７】
空気調和機の運転時、図示しない室外ユニットからの冷媒が熱交換器5a、5b、5cのチューブ10内を循環し、貫流フアン70のロータ７が回転駆動される。
すると、室内空気が吸込グリル２を通って室内ユニット１内に吸い込まれ、フィルタ３を流過することによってこの空気中に含まれる塵埃が捕捉除去される。
【０００８】
次いで、熱交換器5a、5b、5cを流過する過程でチューブ10内を流れる冷媒と熱交換して冷却又は加熱された後、貫流フアン70により付勢されて吹出口４からルーバ８及びフラップ9a、9bに案内されて室内に吹き出される。
【０００９】
【発明が解決しようとする課題】
上記従来の室内ユニットにおいて、貫流フアン70の風量を増大してその効率を向上するためにロータ７と狭少部12との間隔Ｗを小さくすると、特定の周波数の騒音が大きくなるという問題があった。
【００１０】
騒音の周波数をＨz 、ロータ７の回転数ｎを1258rpm 、ブレード7aの枚数Ｋを35とすると、この周波数Ｈz は
Ｈz ＝Ｚ・ｎ・Ｋ・１／60      ( 但し；Ｚ＝１、２、──）
で表わされる。
従って、図４に示すように、一次の周波数 734Ｈz 、２次の周波数1468Ｈz において騒音のピークが現れる。
【００１１】
【課題を解決するための手段】
本発明は上記課題を解決するために発明されたものであって、その要旨とするところは、次の通りのものである。
（１）吸込グリルから吸い込まれた室内空気が熱交換器を流過して冷却又は加熱された後、貫流フアンにより付勢されて吹出口から吹き出される空気調和機の室内ユニットにおいて、上記貫流フアンのロータの外周に近接し、スタビライザと協働して吸込口を限界するベースパネルと一体形成されたドレンパンの前壁を兼ねる狭少部の内面であるロータの外周に近接してこれに対向する面に上下に間隔を隔てて水平に伸びる複数の凹溝を刻設したことを特徴とする空気調和機の室内ユニットにある。
（２）吸込グリルから吸い込まれた室内空気が熱交換器を流過して冷却又は加熱された後、貫流フアンにより吹出口から吹き出される空気調和機の室内ユニットにおいて、上記熱交換器は上記貫流ファンの吸い込み領域を覆うように内蔵され、上記貫流フアンのロータの外周に近接し、ベースパネルと一体形成されたドレンパンの前壁を兼ねる狭少部の内面にロータの外周に近接してこれに対向する面に上下に間隔を隔てて水平に伸びる複数の凹溝を刻設したことを特徴とする空気調和機の室内ユニット。
（３）吸込グリルから吸い込まれた室内空気が熱交換器を流過して冷却又は加熱された後、貫流フアンにより吹出口から吹き出される空気調和機の室内ユニットにおいて、上記熱交換器は上記室内ユニットに複数内蔵され、上記貫流フアンのロータの外周に近接し、ベースパネルと一体形成されたドレンパンの前壁を兼ねる狭少部の内面にロータの外周に近接してこれに対向する面に上下に間隔を隔てて水平に伸びる複数の凹溝を刻設したことを特徴とする空気調和機の室内ユニット。
（４）前記吸込グリルの背後にフィルタが配設されていることを特徴とする（３）に記載の空気調和機の室内ユニット。
（５）前記熱交換器は上記室内ユニットに３個内蔵されていることを特徴とする（４）に記載の空気調和機の室内ユニット。
【００１２】
【発明の実施の形態】
本発明の実施形態が図１に示され、(A) は縦断面図、(B) は部分的拡大断面図である。
(B) に明示するように、狭少部12の内面、即ち、ロータ７の外周に近接してこれに対向する面には上下に間隔を隔てて水平に伸びる複数の凹溝21が刻設されている。
【００１３】
なお、ドレンパン6cがない場合にはロータ７の外周に近接してスタビライザ11と協働して吸込口を限界するベースパネル13の凸部の内面に凹溝21を刻設すれば良い。
他の構成、作用は図３に示す従来のものと同様であり、対応する部材には同じ符号を付してその説明を省略する。
【００１４】
しかして、狭少部12の内面に複数の凹溝21が刻設されているので、狭少部12の近傍から特定の周波数の騒音が発生することはなく、従って、図２に示すように騒音のピークが解消する。
【００１５】
【発明の効果】
本発明においては、（１）吸込グリルから吸い込まれた室内空気が熱交換器を流過して冷却又は加熱された後、貫流フアンにより付勢されて吹出口から吹き出される空気調和機の室内ユニットにおいて、上記貫流フアンのロータの外周に近接し、スタビライザと協働して吸込口を限界するベースパネルと一体形成されたドレンパンの前壁を兼ねる狭少部の内面であるロータの外周に近接してこれに対向する面に上下に間隔を隔てて水平に伸びる複数の凹溝を刻設したため、及び、（２）吸込グリルから吸い込まれた室内空気が熱交換器を流過して冷却又は加熱された後、貫流フアンにより吹出口から吹き出される空気調和機の室内ユニットにおいて、上記熱交換器は上記貫流ファンの吸い込み領域を覆うように内蔵され、上記貫流フアンのロータの外周に近接し、ベースパネルと一体形成されたドレンパンの前壁を兼ねる狭少部の内面にロータの外周に近接してこれに対向する面に上下に間隔を隔てて水平に伸びる複数の凹溝を刻設したため、及び、（３）吸込グリルから吸い込まれた室内空気が熱交換器を流過して冷却又は加熱された後、貫流フアンにより吹出口から吹き出される空気調和機の室内ユニットにおいて、上記熱交換器は上記室内ユニットに複数内蔵され、上記貫流フアンのロータの外周に近接し、ベースパネルと一体形成されたドレンパンの前壁を兼ねる狭少部の内面にロータの外周に近接してこれに対向する面に上下に間隔を隔てて水平に伸びる複数の凹溝を刻設したため、狭少部の近傍から発生する特定周波数の騒音を低減することができる。
【図面の簡単な説明】
【図１】本発明の実施形態を示し、(A) は室内ユニットの縦断面図、(B) は(A) の部分的拡大図である。
【図２】上記実施形態における騒音の周波数分布を示す線図である。
【図３】従来の室内ユニットの縦断面図である。
【図４】従来の室内ユニットにおける騒音の周波数分布を示す線図である。
【符号の説明】
１  室内ユニット
２  吸込グリル
5a、5b、5c  熱交換器
70  貫流フアン
7a  ブレード
6a、6c  ドレンパン
４  吹出口
８  ルーバ
9a、9b  フラップ
11  スタビライザ
12  狭少部
13  ベースパネル
21  凹溝
【図１】
0003886630.tif 000002
【図２】
0003886630.tif 000003
【図３】
0003886630.tif 000004
【図４】
0003886630.tif 000005